(57)【要約】【課題】レーザーマーカーで印字しやすいようにスライドガラス３を配列することができるスライドガラストレイ１、及びスライドガラス印字用台２を提供する。【解決手段】収納されるスライドガラス３の長手方向に伸びる溝１ｅが設けられているとともに、積み重ねられたスライドガラストレイの前記溝１ｅに対応する位置に突起１ｆが設けられており、前記突起１ｆが前記溝１ｅ内で摺動することにより、スライドガラストレイ１同士の摺動方向および摺動距離が制御されているスライドガラストレイ１、又は、スライドガラス３一枚分又はスライドガラス３を収納可能なスライドガラストレイ１一枚分の高さの段差２ａが一定間隔で複数設けられているスライドガラス印字用台２である。【選択図】図１
2019105799.tif 000002
【特許請求の範囲】
【請求項１】
スライドガラス印字用台の中に段積みされ、複数のスライドガラスを収納可能なスライドガラストレイであって、
収納されるスライドガラスの長手方向に伸びる溝が設けられているとともに、
積み重ねられたガラストレイの前記溝に対応する位置に突起が設けられており、
前記突起が前記溝内で摺動することにより、スライドガラストレイ同士の摺動方向および摺動距離が制御されていることを特徴とするスライドガラストレイ。
【請求項２】
段積みされた複数のスライドガラスの端部をそれぞれ一定間隔ずつ離間して載置するためのスライドガラス印字用台であって、
スライドガラス一枚分又はスライドガラスを収納可能なスライドガラストレイ一枚分の高さの段差が一定間隔で複数設けられていることを特徴とするスライドガラス印字用台。
【請求項３】
スライドガラスが請求項１に記載のスライドガラストレイに収納された状態で、スライドガラス印字用台内に段積みされることを特徴とする請求項２に記載のスライドガラス印字用台。
【発明の詳細な説明】
【技術分野】
【０００１】
本発明はスライドガラストレイ及びスライドガラス印字用台に関し、更に詳しくは、いわゆるフロストスライドガラスのフロスト部に印字するにあたり、レーザーマーカーで印字しやすいようにスライドガラスを配列することができるスライドガラストレイ及びスライドガラス印字用台に関する。
【背景技術】
【０００２】
患者の体内から取り出した病理組織等の検体からプレパラートを作製するには、まず、取り出した検体をカセットと呼ばれる通液性の容器に入れて各種薬液で処理し、次にこれをパラフィン等でブロック化し、ミクロトームで薄片化する。さらに、薄片化した標本をスライドガラスに乗せ、染色等の可視化処理を行い、カバーガラスをつけてプレパラートを作製する。
【０００３】
この際、検体の取り違えを防止するため、カセットとスライドガラスの両方に患者情報を印字することが多い。大病院など大量の検体を処理する施設では、カセットについてはレーザープリンタ等を用いて印字するとともに、スライドガラスには患者情報が印字されたラベルを貼り付けたり、インクジェットプリンタで印刷したりしていた。
【０００４】
なお、カセットに印字可能なレーザーマーカーとしては、例えば、ハイブリッドレーザーマーカＭＤ  Ｘ１０００（商品名、キーエンス製）が公知である。スライドガラスに貼るラベルへのプリンターとしては、例えば、ビジネスインクジェット  ＰＸ−１０５（商品名、エプソン製）が公知である。このようなプリンターはパソコン内のデータと連動させることもできるため、カセットやスライドガラスにパソコンで管理された患者名などのデータを印字することができる。
【発明の概要】
【発明が解決しようとする課題】
【０００５】
しかしながら、小規模の検査施設など、狭い場所での作業では、カセット用及びスライドガラス用の２台のマーカーやプリンターを設置するのが困難の場合があり、このような場合に一台でカセットとスライドガラスの両方に印字できるマーカーやプリンターが望まれている。
【課題を解決するための手段】
【０００６】
本発明者は、かかる実情に鑑み、一台のマーカーでカセットとスライドガラスの両方の印刷について鋭意研究の結果、本発明を完成するに至った。
【０００７】
本発明は上記目的を達成するためになされたもので、本発明の特徴は、スライドガラス印字用台の中に段積みされ、複数のスライドガラスを収納可能なスライドガラストレイであって、
収納されるスライドガラスの長手方向に伸びる溝が設けられているとともに、
積み重ねられたガラストレイの前記溝に対応する位置に突起が設けられており、
前記突起が前記溝内で摺動することにより、スライドガラストレイ同士の摺動方向および摺動距離が制御されているスライドガラストレイを内容とする。
【０００８】
本発明の別の特徴は、段積みされた複数のスライドガラスの端部をそれぞれ一定間隔ずつ離間して載置するためのスライドガラス印字用台であって、
スライドガラス一枚分又はスライドガラスを収納可能なスライドガラストレイ一枚分の高さの段差が一定間隔で複数設けられているスライドガラス印字用台を内容とする。
【０００９】
本発明の更に別の特徴は、スライドガラスが請求項１に記載のスライドガラストレイに収納された状態で、スライドガラス印字用台内に段積みされる上記のスライドガラス印字用台を内容とする。
【発明の効果】
【００１０】
本発明のスライドガラストレイ及びスライドガラス用印字台は、段積みされたスライドガラスを一定間隔に摺動させることにより、スライドガラスの端部に設けられたフロスト部を連続的に配列させることができる。このため、フロスト部にレーザーマーカーで効率的に印字することができ、すなわち一台のマーカーでカセットとスライドガラスの両方に印字することができる。
【図面の簡単な説明】
【００１１】
【図１】本発明のスライドガラストレイを示す平面図である。
【図２】（ａ）は図１のＡ−Ａ断面図、（ｂ）はＢ−Ｂ断面図である。
【図３】本発明のスライドガラストレイの使用方法を示す説明図であり、（ａ）は本発明のスライドガラストレイを段積みした状態、（ｂ）はスライドガラストレイを摺動させた状態である。
【図４】本発明のスライドガラス印字用台を示す平面図である。
【図５】図４のＣ−Ｃ断面図である。
【図６】本発明のスライドガラス印字用台の使用方法を示す説明図であり、（ａ）はスライドガラストレイを段積みした状態、（ｂ）はスライドガラストレイを摺動させた状態である。
【発明を実施するための形態】
【００１２】
本発明のスライドガラストレイ１は、図１乃至図３に示すように、スライドガラス印字用台の中に段積みされ、複数のスライドガラス３を収納可能であって、
収納されるスライドガラス３の長手方向に伸びる溝１ｅが設けられているとともに、
積み重ねられたガラストレイの前記溝１ｅに対応する位置に突起１ｆが設けられており、
前記突起１ｆが前記溝１ｅ内で摺動することにより、スライドガラストレイ１同士の摺動方向および摺動距離が制御されていることを特徴とする。
【００１３】
また、本発明のスライドガラス印字用台２は、図４乃至図６に示すように、段積みされた複数のスライドガラス３の端部３ａ（図１参照）をそれぞれ一定間隔ずつ離間して載置するためのものであって、
スライドガラス３の一枚分又はスライドガラス３を収納可能なスライドガラストレイ１の一枚分の高さの段差２ａが一定間隔で複数設けられていることを特徴とする。
【００１４】
上記のスライドガラストレイ１及びスライドガラス印字用台２はそれぞれ単独でも使用可能であるが、組み合わせて用いるのが好ましい。
即ち本発明のスライドガラス印字台２は、スライドガラス３が上記のスライドガラストレイ１に収納された状態で、上記のスライドガラス印字用台２内に段積みされることを特徴とする。
【００１５】
なお、本発明で使用するスライドガラス３は、ガラス製のスライドガラスの片面端部３ａに微細な樹脂粒子を付着させてフロスト部３ｂを形成したいわゆるフロストスライドガラスであり、筆記具によりフロスト部３ｂに文字を筆記できるように構成されているものである。市販品のフロスト部のカラーとしては、ホワイト、イエロー、ピンク、ブルー、オレンジ等がある。
【００１６】
また、本発明で使用するレーザーマーカーは、樹脂又は金属製のワークに文字等を刻印する装置であり、例えば、「ＰｉＴＬＡＳＥＲ  ４０」（商品名、村角工業株式会社製）等が例示できる。このようなレーザーマーカーは、病理検査においてカセットへの印字に使用されるものであるが、本発明ではスライドガラス３への印字にも用いる。
【００１７】
本発明のスライドガラストレイ１は、数枚のスライドガラストレイ１を一定間隔でずらして段積みし、スライドガラス３のフロスト部３ｂをマトリックス状に配列できるように構成されている。これにより、レーザーマーカーの印刷範囲いっぱいにスライドガラス３のフロスト部３ｂを配列し、一度に多数のスライドガラス３に印字出来るようにして、印字時間を短縮するように構成されている。
【００１８】
本発明のスライドガラストレイ１について、図１に基づいて説明する。
図１に記載のスライドガラストレイ１はスライドガラス３を嵌め込むための複数（図１では４箇所）のポケット１ａ、前記ポケット１ａからスライドガラス３を浮かせるための凹窪部１ｂ、前記ポケット１ａから浮いたスライドガラス３を取り出すための指入れ部１ｃを有する。また、スライドガラス３のフロスト部３ｂが着色基体１ｄと当接するように構成されている。さらに、本発明のスライドガラストレイ１には、スライドガラス３の長手方向に伸びる溝１ｅが設けられているとともに、この溝１ｅに対応する突起１ｆが設けられている。
【００１９】
詳述すると、スライドガラス３はポケット１ａに嵌め込まれた状態でレーザーマーカーにより印字される。ポケット１ａに嵌め込まれたスライドガラス３を取り外すには、まず凹窪部１ｂの上から当該スライドガラス３の一端を指で押さえることにより他端をスライドガラストレイ１から浮き上がらせ、次に、指入れ部１ｃに指を添えて、浮き上がったスライドガラス３の他端を把持すればよい。
【００２０】
本発明のスライドガラストレイ１において、スライドガラス３のフロスト部３ｂが当接する部分には着色基体１ｄを配置することができる。即ち、通常のレーザーマーカーを用いて単純にスライドガラス３のフロスト部３ｂに印字すれば、印字された部分において色つきの樹脂が剥離して透明になる。この場合、樹脂の地色に透明の文字が刻印された状態となり、視認しにくいという欠点があり、特にフロスト部３ｂの色が淡い場合には特に視認しにくい。この欠点を解消するためには、着色基体１ｄをフロスト部３ｂと当接するように配置すればよい。このようにすれば、レーザー光がフロスト部３ｂに照射されると同時に着色基体１ｄにも照射され、これにより着色基体１ｄより蒸発や昇華等により放出された色素がフロスト部３ｂの透明状の刻印部分に付着する。この色素によりフロスト部３ｂの樹脂が剥離して透明になった刻印部分が着色され、これにより印字が目立ち視認されやすくなる。
【００２１】
着色基体１ｄの材質は、スライドガラス３のフロスト部３ｂを剥離させるレーザー光により色素を蒸発や昇華等により放出させる材質であれば特に限定されないが、例えば、樹脂やゴムが挙げられる。また、フロストの色とのコントラストを一層高めるために、これらの樹脂やゴムに、着色剤を含有させることができる。このような着色剤としては、これらの樹脂やゴムに添加含有される添加剤、例えば軟化剤、老化防止剤、充填剤や、染料、顔料等が挙げられる。
【００２２】
図１及び図２に示すように、本発明のスライドガラストレイ１はスライドガラス３の長手方向に伸びる溝１ｅと、この溝１ｅに対応する突起１ｆが設けられていることを特徴とする。なお、図示した例において、溝１ｅが上面に設けられ、突起１ｆが下面に設けられているが、溝１ｅを下面に突起１ｆを上面に設けてもよく、あるいは両面に溝１ｅと突起１ｆの両方を設けることもできる。
【００２３】
溝１ｅ及び突起１ｆは、複数のスライドガラストレイ１を段積みする際、スライドガラストレイ１が摺動する方向及び距離を制御するためのものである。図示した例において、スライドガラストレイ１の上面に設けられた溝１ｅの中に、上に積んだ別のスライドガラストレイ１の下面に設けられた突起１ｆが挿入される。このため、上側のスライドガラストレイ１を摺動させる際、摺動する方向は溝１ｅの長さ方向、即ち収納したスライドガラス３の長手方向に制御される。また、溝１ｅの中を摺動する突起１ｆは溝１ｅの端に当接して止まるため、これにより摺動距離を制御することができる。このように段積みされたスライドガラストレイ１の摺動方向及び摺動距離を制御することにより、印刷する箇所（スライドガラス３のフロスト部３ｂ）のみを露出させて、限られたレーザーマーカーの印刷可能範囲に多数のスライドガラス３を配列させることができる。
【００２４】
以上、限られたレーザーマーカーの印刷可能範囲に多数のスライドガラス３を配列させるための方法として、スライドガラストレイ１を用いる方法について説明したが、図４乃至図６に示すように、スライドガラス印字用台２を用いても多数のスライドガラス３を配列させることができる。なお、図４乃至図６に示した例では、スライドガラス印字用台２に図１乃至図３に示したスライドガラストレイ１を収納可能であるようにされているが、スライドガラス３を直接スライドガラス印字用台２の上に載置してもよい。
【００２５】
本発明のスライドガラス印字用台２は、段差２ａが一定間隔で複数設けられていることを特徴とする。段差２ａの高さはスライドガラス３を収納する方法によって定めればよい。例えば、スライドガラス印字用台２にスライドガラス３を直接収納する場合には、段差２ａの高さはスライドガラスの一枚分とすればよい。また、スライドガラス３が嵌め込まれたスライドガラストレイ１をスライドガラス印字用台２に収納する場合には、段差２ａの高さはスライドガラストレイの一枚分とすればよい。
【００２６】
図６に示すように、スライドガラス３又はスライドガラストレイ１（図６ではスライドガラストレイ１）をスライドガラス印字用台２の上で段積みしてから、段差２ａの部分に当接するまでスライドガラス３又はスライドガラストレイ１を摺動させれば、レーザーマーカーの印刷可能範囲に多数のスライドガラス３を配列させることができる。
【産業上の利用可能性】
【００２７】
叙上のとおり、本発明のスライドガラストレイ及びスライドガラス印字用台によれば、従来カセットの印字のみに用いられてきたレーザーマーカーを用いて、スライドガラスにも印字することができる。また、限られたレーザーマーカーの印刷可能範囲に多数のスライドガラスを配列させて、一度に多数のスライドガラスに印字することができるため、印刷にかかる時間を大幅に短縮することが可能である。
【符号の説明】
【００２８】
１  スライドガラストレイ
１ａ  ポケット
１ｂ  凹窪部
１ｃ  指入れ部
１ｄ  着色基体
１ｅ  溝
１ｆ  突起
２  スライドガラス印字用台
２ａ  段差
３  スライドガラス
３ａ  端部
３ｂ  フロスト部
【図１】
2019105799.tif 000003
【図２】
2019105799.tif 000004
【図３】
2019105799.tif 000005
【図４】
2019105799.tif 000006
【図５】
2019105799.tif 000007
【図６】
2019105799.tif 000008